(57)【要約】【課題】複数のプレイリストの中でユーザが所望のプレイリストを容易に選択できる方法を提案する。【解決手段】各々コンテンツを含む複数のプレイリストと、プレイリスト毎のリスト評価情報と、を取得するプレイリスト取得部と、取得した前記複数のプレイリストにおいて一のプレイリストを選択するための選択画面を表示させる表示制御部と、を備え、前記表示制御部は、前記選択画面において、前記リスト評価情報に基づいた仮想オブジェクトをプレイリスト毎に付加して表示させる、情報処理装置。【選択図】図２
2014156315.tif 000002
【特許請求の範囲】
【請求項１】
各々コンテンツを含む複数のプレイリストと、プレイリスト毎のリスト評価情報と、を取得するプレイリスト取得部と、
取得した前記複数のプレイリストにおいて一のプレイリストを選択するための選択画面を表示させる表示制御部と、
を備え、
前記表示制御部は、前記選択画面において、前記リスト評価情報に基づいた仮想オブジェクトをプレイリスト毎に付加して表示させる、情報処理装置。
【請求項２】
前記表示制御部は、前記リスト評価情報に応じた複数の表示態様を有する仮想オブジェクトを表示させる、
請求項１に記載の情報処理装置。
【請求項３】
前記プレイリスト取得部は、プレイリスト毎に複数のリスト評価情報を取得し、
前記表示制御部は、前記複数のリスト評価情報に基づいて複数の仮想オブジェクトを各プレイリストに付加して表示させる、
請求項１に記載の情報処理装置。
【請求項４】
前記表示制御部は、前記選択画面において一のプレイリストが選択された場合に、前記一のプレイリストに付加された仮想オブジェクトの表示態様を変化させる、
請求項１に記載の情報処理装置。
【請求項５】
前記複数のプレイリストは、種類が異なる複数のコンテンツを含み、
前記選択画面において一のプレイリストが選択された場合に、前記一のプレイリストを再生する再生部を更に備える、
請求項１に記載の情報処理装置。
【請求項６】
再生される一のプレイリストの各コンテンツのコンテンツ評価情報を取得するコンテンツ情報取得部を更に備え、
前記再生部は、前記一のプレイリストを再生する際に、前記コンテンツ評価情報に基づいた仮想オブジェクトを付加して表示させる、
請求項５に記載の情報処理装置。
【請求項７】
前記再生部は、前記一のプレイリストの前記複数のコンテンツを順次再生させる際に、再生中のコンテンツに対応する仮想オブジェクトにコメントを付加して表示させる、
請求項６に記載の情報処理装置。
【請求項８】
前記コンテンツ情報取得部は、再生されるコンテンツに関連する関連コンテンツと、前記関連コンテンツのコンテンツ評価情報とを、更に取得し、
前記再生部は、前記一のプレイリストを再生する際に、前記関連コンテンツのコンテンツ評価情報に基づいた仮想オブジェクトを付加して表示させる、
請求項６に記載の情報処理装置。
【請求項９】
前記再生部は、前記一のプレイリストを再生する際に、他のプレイリストを選択可能に表示させると共に、前記他のプレイリストの前記リスト評価情報に基づいた仮想オブジェクトを付加して表示させる、
請求項５に記載の情報処理装置。
【請求項１０】
各々コンテンツを含む複数のプレイリストと、プレイリスト毎のリスト評価情報と、を取得すること、
取得した前記複数のプレイリストにおいて一のプレイリストを選択するための選択画面を表示させる際に、前記リスト評価情報に基づいた仮想オブジェクトをプレイリスト毎に付加して表示させる、
を含む、情報処理方法。
【発明の詳細な説明】
【技術分野】
【０００１】
本発明は、情報処理装置、及び情報処理方法に関する。
【背景技術】
【０００２】
コンテンツ再生装置として、予め作成されているプレイリストに従って、音声、静止画、動画等からなる複数のコンテンツを連続再生する装置が知られている。ここで、プレイリストは、連続再生される複数のコンテンツを再生順序に従って並べたインデックス情報であり、通常、連続再生されるコンテンツ同士が所定の連続性、関連性等を有する。【０００３】
近年、利用可能なプレイリストが増加することで、ユーザが自らの嗜好に合うプレイリストを選択することが困難となっている。かかる点に鑑み、下記の引用文献１には、あるプレイリスト中に含まれるコンテンツと同じコンテンツが他のプレイリストに含まれている場合、あるプレイリストの該当コンテンツを起点として他のプレイリストに切り替えることができる技術が開示されている。
【先行技術文献】
【特許文献】
【０００４】
【特許文献１】特許４５７７４３８号公報
【発明の概要】
【発明が解決しようとする課題】
【０００５】
しかし、上述した技術においても、複数のプレイリストの中で所望のプレイリストを容易に選択できない。例えば、プレイリストの切替先が複数あった場合に、ユーザがどのプレイリストを選択して良いか分からないという問題が発生しうる。【０００６】
そこで、本開示は、複数のプレイリストの中でユーザが所望のプレイリストを容易に選択できる方法を提案する。
【課題を解決するための手段】
【０００７】
本開示によれば、各々コンテンツを含む複数のプレイリストと、プレイリスト毎のリスト評価情報と、を取得するプレイリスト取得部と、取得した前記複数のプレイリストにおいて一のプレイリストを選択するための選択画面を表示させる表示制御部と、を備え、前記表示制御部は、前記選択画面において、前記リスト評価情報に基づいた仮想オブジェクトをプレイリスト毎に付加して表示させる、情報処理装置が提供される。【０００８】
また、本開示によれば、各々コンテンツを含む複数のプレイリストと、プレイリスト毎のリスト評価情報と、を取得すること、取得した前記複数のプレイリストにおいて一のプレイリストを選択するための選択画面を表示させる際に、前記リスト評価情報に基づいた仮想オブジェクトをプレイリスト毎に付加して表示させる、を含む、情報処理方法が提供される。
【発明の効果】
【０００９】
以上説明したように本開示によれば、複数のプレイリストの中でユーザが所望のプレイリストを容易に選択することが可能となる。
【図面の簡単な説明】
【００１０】
【図１】本開示の一実施形態に係るプレイリスト再生システム１の構成の一例を示すブロック図である。
【図２】一実施形態に係るプレイリストの選択画面７００の一例を示す図である。
【図３】プレイリストＰＬ１の表示構成の一例を示す図である。
【図４】プレイリストＰＬ１に付加された仮想オブジェクトのアニメーションの一例を説明するための図である。
【図５】一実施形態に係るプレイリストＰＬ１の概要画面７２０の一例を示す図である。
【図６】一実施形態に係るプレイリストの再生画面７３０の一例を示す図である。
【図７】プレイリストの再生画面７３０におけるコンテンツ再生の一例を示す図である。
【図８】プレイリストの再生画面７３０を説明するための図である。
【図９】プレイリストの再生画面７３０において表示される仮想オブジェクトの一例を示す図である。
【図１０】関連コンテンツと仮想オブジェクトの一例を示す図である。
【図１１】線路の分岐における仮想オブジェクトの一例を示す図である。
【図１２】プレイリストに対するコメントの表示例を示す図である。
【図１３】コメント登録画面の一例を示す図である。
【図１４】一実施形態に係るプレイリストの再生処理を示すフローチャートである。
【図１５】情報処理装置１００のハードウェア構成例を示した説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．プレイリスト再生システムの概要
２．情報処理装置の構成
３．プレイリストの再生処理
４．ハードウェア構成
５．まとめ
【００１３】
＜１．プレイリスト再生システムの概要＞
図１を参照しながら、本開示の一実施形態に係るプレイリスト再生システムの概要について説明する。
【００１４】
図１は、本開示の一実施形態に係るプレイリスト再生システム１の構成の一例を示すブロック図である。プレイリスト再生システム１は、予め作成された複数種類のコンテンツにまたがるプレイリストをサーバーから取得し、再生するシステムである。プレイリスト再生システム１は、図１に示すように、サーバー１０と、情報処理装置１００と、を有する。
【００１５】
サーバー１０は、ネットワークを介して情報処理装置１００とデータのやり取りを行う。サーバー１０は、複数種類のコンテンツを含むプレイリストのデータと、プレイリストに含まれるコンテンツデータとを記憶しており、情報処理装置１００の要求に応じてこれらのデータを情報処理装置１００に送信する。
【００１６】
情報処理装置１００は、プレイリストをネットワークを介してサーバー１０から取得して、再生する装置である。情報処理装置１００は、例えば、ノートパソコン、タブレット、携帯電話等のコンテンツを再生可能な装置である。なお、情報処理装置１００の詳細な構成については、後述する。
【００１７】
ところで、プレイリストとは、連続再生される複数のコンテンツを再生順序に従って並べたインデックス情報である。プレイリストは、連続再生されるコンテンツ同士が所定の連続性、関連性等を有するように、複数のコンテンツを並べて作成される。ここで、コンテンツ同士の連続性、関連性とは、例えば、音声コンテンツの場合、音楽的な特徴（楽曲のテンポ、曲調等）、聴者が受ける音楽的な印象（明るさ、激しさ等）がコンテンツ同士で同一または類似していることを意味する。
【００１８】
＜２．情報処理装置の構成＞
図１を参照しながら、情報処理装置１００の機能構成の一例について説明する。図１に示すように、情報処理装置１００は、プレイリスト取得部１０２と、表示制御部の一例であるリスト表示部１０４と、リスト選択部１０６と、コンテンツ情報取得部１０８と、再生部の一例であるリスト再生部１１０と、を有する。
【００１９】
（プレイリスト取得部１０２）
プレイリスト取得部１０２は、サーバー１０からプレイリストデータを取得する。例えば、プレイリスト取得部１０２は、アプリケーションが起動するとサーバー１０に対してプレイリストデータを要求する。プレイリスト取得部１０２は、取得したプレイリストデータを、リスト表示部１０４に出力する。
【００２０】
ここで、取得されたプレイリストデータは、プレイリスト毎に、例えばＩＤ、タイトル、時間、説明、コンテンツＩＤ、プレイリスト第１評価、プレイリスト第２評価、及び仮想オブジェクト情報を含む。なお、本実施形態では、プレイリスト第１評価、及びプレイリスト第２評価が、リスト評価情報に該当する。
【００２１】
ＩＤは、プレイリストを特定するための固有情報である。タイトルは、プレイリストのタイトルとして使用されるテキスト情報である。時間は、プレイリストの長さ（時間）を表すテキスト情報である。説明は、プレイリストの内容を説明するテキスト情報である。コンテンツＩＤは、プレイリストに含まれるコンテンツデータのＩＤの配列である。プレイリスト第１評価は、プレイリストを見た人の表情を示す評価情報である。プレイリスト第２評価は、プレイリストを気に入った人の数（Ｌｉｋｅ数）情報である。仮想オブジェクト情報は、プレイリストに対するコメントテキスト、表示タイミング（再生開始からの秒数）、仮想オブジェクト（いわゆるアバタ）の表情を組み合わせた配列である。なお、仮想オブジェクトの表情としては、例えば、泣く、笑う、無表情、微笑む、驚くが割当てられている。
【００２２】
このように、プレイリスト取得部１０２は、種類が異なる複数のコンテンツを含む複数のプレイリストと、プレイリスト毎のリスト評価情報と、を取得する。なお、プレイリスト取得部１０２は、プレイリスト毎に複数のリスト評価情報を取得する。すなわち、複数の人の評価情報が、取得される。
【００２３】
（リスト表示部１０４）
リスト表示部１０４は、サーバー１０から取得したプレイリストデータに基づいて、複数のプレイリストの一覧画面を表示させる。ここで、一覧画面は、ユーザが複数のプレイリストの中の一のプレイリストを選択するための選択画面である。
【００２４】
図２は、一実施形態に係るプレイリストの選択画面７００の一例を示す図である。図２に示すように、選択画面７００においては、複数のプレイリストＰＬ１〜ＰＬ９が整列して表示されている。各プレイリストＰＬ１〜ＰＬ９の表示構成は、同様であるので、以下ではプレイリストＰＬ１を例に挙げて説明する。
【００２５】
図３は、プレイリストＰＬ１の表示構成の一例を示す図である。プレイリストＰＬ１は、例えば図３に示すように、サムネイル画像７１１と、タイトル７１２と、タイトルの頭文字７１３と、時間７１４と、説明７１５と、第１評価７１６と、第２評価７１７とを含む。
【００２６】
サムネイル画像７１１は、プレイリストＰＬ１に含まれるコンテンツのサムネイル画像である。タイトル７１２は、プレイリストＰＬ１のタイトルを示す。タイトルの頭文字７１３は、プレイリストＰＬ１のタイトルの頭文字を示す。時間７１４は、プレイリストＰＬ１の長さ（再生時間）を示す。説明７１５は、プレイリストＰＬ１の内容を示す。第１評価７１６は、プレイリストＰＬ１を見た人の表情を示す仮想オブジェクト７１６ａを示す。第２評価７１７は、プレイリストＰＬ１を気に入った人のＬｉｋｅ数を示す。
【００２７】
リスト表示部１０４は、図２に示すように、選択画面７００において、リスト評価情報に基づいた仮想オブジェクト７１６ａをプレイリスト毎に付加して表示させる。この際、リスト表示部１０４は、複数のリスト評価情報に基づいて複数の仮想オブジェクト７１６ａを各プレイリストに付加して表示させる。
【００２８】
また、リスト表示部１０４は、リスト評価情報に基づいて複数の表示態様を有する仮想オブジェクト７１６ａを表示させる。具体的には、図３に示すように、複数の表情（泣く、笑う、無表情、微笑む、驚く）を有する仮想オブジェクト７１６ａが表示される。これにより、ユーザは、仮想オブジェクトの複数の表情を見ることで、プレイリストＰＬ１に対する他人の評価を視覚的に把握できる。
【００２９】
図４は、プレイリストＰＬ１に付加された仮想オブジェクトのアニメーションの一例を説明するための図である。ここでは、選択画面７００においてプレイリストＬ１が一時選択状態（いわゆるマウスのホバー状態）になったものとする。すると、リスト表示部１０４は、仮想オブジェクト７１６ａのアニメーション表示を行う。具体的には、リスト表示部１０４は、図４に示すように、仮想オブジェクト７１６ａを上下移動（ジャンプ）、左右移動（首振り）をランダムに行う。このように、リスト表示部１０４は、選択画面７００において一のプレイリストが選択された場合に、一のプレイリストに付加された仮想オブジェクト７１６ａの表示態様を変化させる。
【００３０】
（リスト選択部１０６）
リスト選択部１０６は、選択画面７００（図２）においてユーザが一のプレイリストの選択を確定すると、一のプレイリストの選択を受け付ける。すると、リスト選択部１０６は、プレイリストデータに基づいて、一のプレイリストの概要を示す概要画面を表示させる。以下では、プレイリストＰＬ１の選択が確定したものとして説明する。
【００３１】
図５は、一実施形態に係るプレイリストＰＬ１の概要画面７２０の一例を示す図である。図５に示すように、プレイリストＰＬ１の概要画面７２０は、プレイリストＰＬ１のタイトル７２１、再生時間７２２、プレイリストＰＬ１の説明７２３を含む。これにより、ユーザは、プレイリストＰＬ１の再生前に、プレイリストＰＬ１の概要を把握できる。
【００３２】
（コンテンツ情報取得部１０８）
コンテンツ情報取得部１０８は、選択画面７００において選択された一のプレイリストに含まれる複数のコンテンツデータを、サーバー１０から取得する。例えば、コンテンツ情報取得部１０８は、プレイリストＰＬ１の概要画面７２０の表示中に、プレイリストＰＬ１に含まれるコンテンツデータをサーバー１０にリクエストして取得する。なお、コンテンツ情報取得部１０８は、プレイリストデータに含まれるコンテンツＩＤに基づいて、再生順序が早いコンテンツから順番にリクエストしても良い。これにより、コンテンツの再生を早く開始できる。
【００３３】
ここで、サーバーから取得されるコンテンツデータは、コンテンツタイトル、コンテンツ作成者、コンテンツタイプ、コンテンツＵＲＬ、コンテンツＢＧＭのＵＲＬ、再生時間、仮想オブジェクト情報、及び関連コンテンツ情報を含む。
【００３４】
コンテンツタイトルは、コンテンツのタイトルとして表示されるテキスト情報である。コンテンツ作成者は、コンテンツの作成者として表示されるテキスト情報である。コンテンツタイプは、コンテンツの種類を示す情報である。コンテンツＵＲＬは、コンテンツを取得できるＵＲＬを示す情報である。コンテンツＢＧＭのＵＲＬは、コンテンツ表示中に再生するＢＧＭのＵＲＬを示す情報である。再生時間は、コンテンツの長さ（例えば秒）を示す。仮想オブジェクト情報は、コンテンツに対するコメントテキスト、表示タイミング（再生開始からの秒数）、仮想オブジェクトの表情を組み合わせた配列である。関連コンテンツ情報は、再生コンテンツに関連のあるコンテンツの情報（例えば、表示位置（再生開始からの秒数）、コンテンツＩＤ）の配列を示す情報）である。
【００３５】
本実施形態では、コンテンツタイプとして、動画、音楽、画像、Ｗｅｂページ、書籍が設定可能である。そして、コンテンツ自体に音楽が含まれないコンテンツ（画像、Ｗｅｂページ、書籍）に関しては、ＢＧＭのＵＲＬを設定可能である。
【００３６】
このように、コンテンツ情報取得部１０８は、再生される一のプレイリストの各コンテンツのコンテンツ評価情報を取得する。また、コンテンツ情報取得部１０８は、再生されるコンテンツに関連する関連コンテンツと、関連コンテンツのコンテンツ評価情報とを、更に取得する。なお、関連コンテンツについては、後述する。
【００３７】
（リスト再生部１１０）
リスト再生部１１０は、プレイリストの選択画面７００において一のプレイリストが選択された場合に、選択された一のプレイリストを再生する。この際、リスト再生部１１０は、取得したコンテンツデータとプレイリストデータに基づいて、プレイリストを再生させる。
【００３８】
本実施形態では、リスト再生部１１０は、一のプレイリストを再生する際に、コンテンツ評価情報に基づいた仮想オブジェクトを付加して表示させる。これにより、ユーザは、表示された仮想オブジェクトを見ることで、プレイリストやコンテンツに関する他人の評価を把握できる。
【００３９】
リスト再生部１１０は、一のプレイリストに含まれる複数のコンテンツを順次再生させる際に、再生中のコンテンツに対応する仮想オブジェクトにコメントを付加して表示させる。これにより、ユーザは、コメントを見ることで、再生中のコンテンツに対する他人の評価を適切に把握できる。
【００４０】
また、リスト再生部１１０は、一のプレイリストを再生する際に、関連コンテンツのコンテンツ評価情報に基づいた仮想オブジェクトを付加して表示させる。これにより、ユーザは、関連コンテンツの評価を示す仮想オブジェクトにより関連コンテンツに対する他人の評価を視覚的に把握できる。この結果、ユーザは、自己の嗜好に合う関連コンテンツを選択できる。
【００４１】
また、リスト再生部１１０は、一のプレイリストを再生する際に、他のプレイリストを選択可能に表示させると共に、前記他のプレイリストの前記リスト評価情報に基づいた仮想オブジェクトを付加して表示させる。これにより、ユーザは、一のプレイリストの再生中に、他のプレイリストに関する他人の評価を視覚的に把握できる。この結果、ユーザは、再生したい他のプレイリストを容易に選択できる。
【００４２】
（プレイリストの再生例）
図６〜図１３を参照しながら、具体的なプレイリストの再生例について説明する。図６は、一実施形態に係るプレイリストの再生画面７３０の一例を示す図である。図７は、プレイリストの再生画面７３０におけるコンテンツ再生の一例を示す図である。図８は、プレイリストの再生画面７３０を説明するための図である。以下では、プレイリストＰＬ１を例に挙げて説明する。
【００４３】
本実施形態では、図６に示すように、一のプレイリストＰＬ１の再生画面７３０において、他のプレイリストＰＬ１０、ＰＬ１１を選択できるように構成されている。これにより、ユーザは、互いに関連性、連続性の強い一連のプレイリストを連続して再生することができる。
【００４４】
リスト再生部１１０は、再生するコンテンツのタイプに応じて、使用するプログラムを切り替えて再生を行う。また、リスト再生部１１０は、音声を含まないコンテンツ（画像、Ｗｅｂページ、書籍）に関しては、コンテンツＢＧＭのＵＲＬで指定された音楽ファイルをバックグラウンドで再生する。
【００４５】
プレイリスト再生画面７３０における再生時間や再生位置は、図８に示す電車７３１、線路７３２、駅７３３によって示される。電車７３１は、線路７３２に沿って移動し、駅７３３を通過し、又は駅７３３で分岐するようになっている。駅７３３で分岐することで、他のプレイリスト（例えば、図６に示すプレイリストＰＬ１０、ＰＬ１１）に移動する。プレイリストの再生の際は、電車７３１が線路７３２上を移動し、その際に図７に示すように画面７４０にてコンテンツが再生される。
【００４６】
プレイリスト再生画面７３０において、ある駅７３３と次の駅７３３までの間（線路７３２）が、コンテンツの長さを示す。そして、現在の再生位置は、駅７３３間の電車７３１の位置によって示される。なお、駅７３３間の線路７３２の長さは、コンテンツ情報の再生時間に応じて設定される。また、線路７３２のカーブ等は、ランダムに自動生成される。
【００４７】
リスト再生部１１０は、コンテンツデータに含まれる仮想オブジェクト情報に基づいて、コンテンツに対するコメントや表情を表す仮想オブジェクト７３５（図６）を表示させる。ここで、リスト再生部１１０は、仮想オブジェクト情報に応じて、仮想オブジェクト７３５の表示位置、表情、コメントを変更する。なお、リスト再生部１１０は、電車７３１が接近する仮想オブジェクト７３５のコメントを表示させる。
【００４８】
図９は、プレイリストの再生画面７３０において表示される仮想オブジェクトの一例を示す図である。表情、及びコメントの情報がある場合には、リスト再生部１１０は、図９に示すように表情とコメント７３６を有する仮想オブジェクト７３５ａを表示させる。一方で、コメントの情報が無い場合には、リスト再生部１１０は、表情だけを表す仮想オブジェクト７３５ｂを表示させる。
【００４９】
図１０は、関連コンテンツと仮想オブジェクトの一例を示す図である。リスト再生部１１０は、図１０（ａ）に示すように、再生中のコンテンツに関連する関連コンテンツ７３７と、関連コンテンツに対する仮想オブジェクト７３５とを表示する。ここで、リスト再生部１１０は、関連コンテンツ７３７の仮想オブジェクト情報に応じて、仮想オブジェクト７３５の表示位置、表情、コメント７３６を変更する。なお、図１０（ｂ）では、他の表示形態として、関連コンテンツ７３７の前で行列を成している仮想オブジェクト７３８が示されている。
【００５０】
図１１は、線路７３２の分岐における仮想オブジェクトの一例を示す図である。リスト再生部１１０は、線路７３２の分岐で切り替え可能なプレイリストの人気度合いや実際にそのプレイリストを再生した人の感想を仮想オブジェクトとして表示させる。具体的には、図１１に示すように、リスト再生部１１０は、分岐先の各プレイリストのプレイリストデータに含まれる仮想オブジェクト情報の先頭３つの仮想オブジェクト７３５ｃを分岐地点に表示させる。
【００５１】
図１２は、プレイリストに対するコメントの表示例を示す図である。リスト再生部１１０は、再生中のプレイリストに対するコメントを表示する。例えば、リスト再生部１１０は、図１２に示すように、風船７３９にコメントテキストを含むように表示させる。ここで、リスト再生部１１０は、仮想オブジェクト情報に応じて、表示位置やコメント内容を変化させる。
【００５２】
ところで、本実施形態において、ユーザは、プレイリストの再生中にプレイリストに対するコメントを作成し登録することができる。作成したコメントは、サーバー１０から登録される。
【００５３】
図１３は、コメント登録画面の一例を示す図である。ユーザは、プレイリストの再生中に、操作部等を操作して図１３に示すコメント登録画面７５０を呼び出すことができる。ユーザは、コメント登録画面７５０の対象選択部７５１でプレイリスト又はコンテンツを選択し、表情選択部７５２で表情を選択し、コメント入力部７５３でコメントを入力できる。そして、ユーザがコメント登録画面の「送信」ボタン７５４を押下したタイミングで、情報処理装置１００は、コメント対象（プレイリスト又はコンテンツ）、対象ＩＤ、コメントタイミング（秒）、表情、及びコメント内容を、サーバー１０に送信する。このように登録されたコメントは、その後他のユーザがプレイリストを再生する際に表示される。
【００５４】
＜３．プレイリストの再生処理＞
図１４を参照しながら、一実施形態に係るプレイリストの再生処理について説明する。
図１４に示すプレイリストの再生処理は、情報処理装置１００のＣＰＵが、ＲＯＭに格納されているプログラムを実行することにより、実現される。
【００５５】
なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００５６】
図１４は、一実施形態に係るプレイリストの再生処理を示すフローチャートである。図１４のフローチャートは、プレイリストを再生するためのユーザ操作により、情報処理装置１００がアプリケーションを起動させるところから開始される（ステップＳ１０２）。
【００５７】
次に、情報処理装置１００のプレイリスト取得部１０２は、サーバー１０からプレイリストデータを取得する（ステップＳ１０４）。このプレイリストデータには、プレイリスト毎のリスト評価情報が含まれる。
【００５８】
次に、リスト表示部１０４は、取得したプレイリストデータに基づいて、プレイリストの選択画面７００（図２）を表示させる（ステップＳ１０６）。この際、各プレイリストには、仮想オブジェクトが付加して表示される。
【００５９】
次に、ユーザが選択画面７００にて一のプレイリストを選択すると、リスト選択部１０６は、選択したプレイリストを再生する前に、選択したプレイリストの概要画面７２０（図５）を表示させる（ステップＳ１０８）。
【００６０】
次に、リスト再生部１１０は、選択したプレイリストを再生させる（ステップＳ１１０）。すなわち、リスト再生部１１０は、概要画面７２０から再生画面７３０（図６）に切り替えて、選択したプレイリストを再生させる。この際、リスト再生部１１０は、プレイリストに含まれるコンテンツを順次再生させると共に、再生中のコンテンツに対する仮想オブジェクトを付加して表示させる。
【００６１】
その後、アプリケーションを終了すると（ステップＳ１１２：Ｙｅｓ）、本処理が完了する。一方で、アプリケーションを終了せず（ステップＳ１１２：Ｎｏ）、プレイリストの再生時間が経過すると、再生画面７３０から選択画面７００に切り替わる（ステップＳ１０６）。そして、ユーザは、選択画面７００にてプレイリストを再度選択できる。
【００６２】
＜４．ハードウェア構成＞
上述した情報処理装置１００による動作は、情報処理装置１００が備えるハードウェア構成とソフトウェアとが協働することにより実現される。そこで、以下では、情報処理装置１００のハードウェア構成を説明する。なお、デバイス１０も、同様なハードウェア構成を有するものとする。
【００６３】
図１５は、情報処理装置１００のハードウェア構成例を示した説明図である。図１５に示すように、情報処理装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、入力装置２０８と、出力装置２１０と、ストレージ装置２１１と、ドライブ２１２と、通信装置２１５とを備える。
【００６４】
ＣＰＵ２０１は、演算処理装置および制御装置として機能し、各種プログラムに従って情報処理装置１００内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバスにより相互に接続されている。
【００６５】
入力装置２０８は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ２０１に出力する入力制御回路などから構成されている。情報処理装置１００のユーザは、該入力装置２０８を操作することにより、情報処理装置１００に対して各種のデータを入力したり処理動作を指示したりすることができる。
【００６６】
出力装置２１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。例えば、表示装置は、撮像された画像や生成された画像などを表示する。一方、音声出力装置は、音声データ等を音声に変換して出力する。
【００６７】
ストレージ装置２１１は、本実施形態にかかる情報処理装置１００の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。このストレージ装置２１１は、ＣＰＵ２０１が実行するプログラムや各種データを格納する。
【００６８】
ドライブ２１２は、記憶媒体用リーダライタであり、情報処理装置１００に内蔵、あるいは外付けされる。ドライブ２１２は、装着されている磁気ディスク、光ディスク、光磁気ディスク、または半導体メモリ等のリムーバブル記憶媒体２２０に記録されている情報を読み出して、ＲＡＭ２０３に出力する。また、ドライブ２１２は、リムーバブル記憶媒体２２０に情報を書き込むこともできる。
【００６９】
通信装置２１５は、例えば、ネットワーク２３０に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００７０】
なお、ネットワーク２３０は、ネットワーク２３０に接続されている装置から送信される情報の有線、または無線の伝送路である。例えば、ネットワーク２３０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク２３０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００７１】
＜５．まとめ＞
上述した情報処理装置１００は、図２に示すように、プレイリストを選択する選択画面７００において、リスト評価情報に基づいた仮想オブジェクト（図３に示す仮想オブジェクト７１６ａ）をプレイリスト毎に付加して表示させる。
【００７２】
かかる場合には、ユーザは、プレイリストに付加して表示された仮想オブジェクト７１６ａを見ることで、プレイリストに対する他人の評価（行動を含む）を視覚的に把握できる。このため、ユーザは、他人の評価を参考に、所望のプレイリストを容易に選択することが可能となる。
【００７３】
また、上述した実施形態においては、一つのプレイリストが、種類の異なる複数のコンテンツ（例えば、動画、音楽、画像、Ｗｅｂページ、書籍等）を含む。このため、ユーザは、一つのプレイリストを再生することで、関連性が高い複数のコンテンツを跨いだ疑似体験を自然に経験することができる。具体的には、映画鑑賞の前に映画の原作本を読み、映画鑑賞後に映画のサウンドトラックＣＤを購入して音楽鑑賞するという関連性、連続性の強い一連の経験を、一つのプレイリストの再生で経験することが可能となる。
【００７４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７５】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００７６】
本明細書において説明した情報処理装置による処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Random  Access  Memory）に読み込まれ、ＣＰＵなどのプロセッサにより実行される。
【００７７】
なお、以下のような構成も本開示の技術的範囲に属する。
（１）
各々コンテンツを含む複数のプレイリストと、プレイリスト毎のリスト評価情報と、を取得するプレイリスト取得部と、
取得した前記複数のプレイリストにおいて一のプレイリストを選択するための選択画面を表示させる表示制御部と、
を備え、
前記表示制御部は、前記選択画面において、前記リスト評価情報に基づいた仮想オブジェクトをプレイリスト毎に付加して表示させる、情報処理装置。
（２）
前記表示制御部は、前記リスト評価情報に応じた複数の表示態様を有する仮想オブジェクトを表示させる、
前記（１）に記載の情報処理装置。
（３）
前記プレイリスト取得部は、プレイリスト毎に複数のリスト評価情報を取得し、
前記表示制御部は、前記複数のリスト評価情報に基づいて複数の仮想オブジェクトを各プレイリストに付加して表示させる、
前記（１）又は（２）に記載の情報処理装置。
（４）
前記表示制御部は、前記選択画面において一のプレイリストが選択された場合に、前記一のプレイリストに付加された仮想オブジェクトの表示態様を変化させる、
前記（１）〜（３）のいずれか１項に記載の情報処理装置。
（５）
前記複数のプレイリストは、種類が異なる複数のコンテンツを含み、
前記選択画面において一のプレイリストが選択された場合に、前記一のプレイリストを再生する再生部を更に備える、
前記（１）〜（４）のいずれか１項に記載の情報処理装置。
（６）
再生される一のプレイリストの各コンテンツのコンテンツ評価情報を取得するコンテンツ情報取得部を更に備え、
前記再生部は、前記一のプレイリストを再生する際に、前記コンテンツ評価情報に基づいた仮想オブジェクトを付加して表示させる、
前記（５）に記載の情報処理装置。
（７）
前記再生部は、前記一のプレイリストの前記複数のコンテンツを順次再生させる際に、再生中のコンテンツに対応する仮想オブジェクトにコメントを付加して表示させる、
前記（６）に記載の情報処理装置。
（８）
前記コンテンツ情報取得部は、再生されるコンテンツに関連する関連コンテンツと、前記関連コンテンツのコンテンツ評価情報とを、更に取得し、
前記再生部は、前記一のプレイリストを再生する際に、前記関連コンテンツのコンテンツ評価情報に基づいた仮想オブジェクトを付加して表示させる、
前記（６）又は（７）に記載の情報処理装置。
（９）
前記再生部は、前記一のプレイリストを再生する際に、他のプレイリストを選択可能に表示させると共に、前記他のプレイリストの前記リスト評価情報に基づいた仮想オブジェクトを付加して表示させる、
前記（５）〜（８）のいずれか１項に記載の情報処理装置。
（１０）
各々コンテンツを含む複数のプレイリストと、プレイリスト毎のリスト評価情報と、を取得すること、
取得した前記複数のプレイリストにおいて一のプレイリストを選択するための選択画面を表示させる際に、前記リスト評価情報に基づいた仮想オブジェクトをプレイリスト毎に付加して表示させる、
を含む、情報処理方法。
【符号の説明】
【００７８】
１      プレイリスト再生システム
１０    サーバー
１００    情報処理装置
１０２    プレイリスト取得部
１０４    リスト表示部
１０６    リスト選択部
１０８    コンテンツ情報取得部
１１０    リスト再生部
７１６ａ、７３５    仮想オブジェクト
ＰＬ    プレイリスト
【図１】
2014156315.tif 000003
【図２】
2014156315.tif 000004
【図３】
2014156315.tif 000005
【図４】
2014156315.tif 000006
【図５】
2014156315.tif 000007
【図６】
2014156315.tif 000008
【図７】
2014156315.tif 000009
【図８】
2014156315.tif 000010
【図９】
2014156315.tif 000011
【図１０】
2014156315.tif 000012
【図１１】
2014156315.tif 000013
【図１２】
2014156315.tif 000014
【図１３】
2014156315.tif 000015
【図１４】
2014156315.tif 000016
【図１５】
2014156315.tif 000017
【国際調査報告】
2014156315.tif 000018
2014156315.tif 000019
2014156315.tif 000020
2014156315.tif 000021